(57)【要約】【課題】  送迎バスに乗せたＩＣカードの携行者の中に不正携行者が混在していても不正携行者の降車地降車に伴う特定領域内への部外者立ち入りを阻止すること。【解決手段】  複数情報の検索照合結果を告知できる乗降管理用データベースに、ＩＣカード紛失者の個人識別情報を紛失カード情報として記録する一方、送迎バスに乗せた前記携行者を降車地で降ろす際に、ＩＣカードから読み出した個人識別情報が、前記紛失カード情報と異なる携行者は、前記データベースから得た正規カード告知により前記降車地で降ろし、ＩＣカードから読み出した個人識別情報が、紛失カード情報と同じ携行者は、データベースから得た不正警告により前記降車地から排斥することで、前記特定領域内への部外者立ち入りを阻止できた。【選択図】図１
2017045136.tif 000002
【特許請求の範囲】
【請求項１】
個人識別ＩＣカードの携行者を乗車地から特定領域に関連した降車地へ移動させる送迎バスを乗降管理する方法において、ＩＣカード紛失者からの事前申し出を受けた送迎バスの乗降係員や運転手は、個人識別情報リストから得たＩＣカード紛失者の個人識別情報を紛失カード情報として、複数情報の検索照合結果を告知できるデータベースに記録し、送迎バスに乗せた前記携行者を降車地で降ろす際に、ＩＣカードから読み出した個人識別情報が、前記個人識別情報リスト中に有って前記紛失カード情報と異なるＩＣカードの携行者は、前記データベースから得た正規カード告知に基づき、正規携行者として前記降車地で降ろし、ＩＣカードから読み出した個人識別情報が紛失カード情報と同じ携行者は、データベースから得た不正警告に基づき、他人のＩＣカードの不正携行者として乗降係員や特定領域の守衛が本人確認を実行し、この不正携行者の氏名や勤務先を聞き取った後、前記降車地から排斥することで、前記特定領域内への部外者立ち入りを阻止したことを特徴とする送迎バスの乗降管理方法。
【請求項２】
個人識別ＩＣカードの携行者を乗車地から特定領域に関連した降車地へ移動させる送迎バスを乗降管理する方法において、ＩＣカード紛失者からの事前申し出を受けた送迎バスの乗降係員や運転手は、個人識別情報リストから得たＩＣカード紛失者の個人識別情報を紛失カード情報として、複数情報の検索照合結果を告知できるデータベースに記録した後、前記携行者を前記乗車地から送迎バスに乗せる際に、ＩＣカードから読み出した個人識別情報が、前記個人識別情報リスト中に有って、前記紛失カード情報と異なるＩＣカードの携行者は、前記データベースから得た正規カード告知に基づき、正規携行者として送迎バスに乗せ、ＩＣカードから読み出した個人識別情報が、紛失カード情報と同じ携行者の場合は、前記乗降係員や運転手だけに分かるデータベースからの不正警告に基づく不正携行者として、送迎バスに故意に乗せる一方、前記各携行者を降車地で降ろす際に、ＩＣカードから読み出した個人識別情報が、前記紛失カード情報と異なるＩＣカードの携行者は、前記正規カード告知に基づき降車地で降ろし、ＩＣカードから読み出した個人識別情報が、紛失カード情報と同じ携行者は、前記不正警告に基づき、他人のＩＣカードの不正携行者として、乗降係員や特定領域の守衛が本人確認を実行し、この不正携行者の氏名や勤務先を聞き取った後、前記降車地から排斥することで、前記特定領域内への部外者立ち入りを阻止したことを特徴とする送迎バスの乗降管理方法。
【請求項３】
前記他人のＩＣカードの不正携行者を降車地から排斥するに当たり、本人確認の結果、盗んだ紛失カードを使用した不正携行者は、警察に連行して前記降車地から排斥することを特徴とする請求項１または請求項２に記載した送迎バスの乗降管理方法。
【請求項４】
ＩＣカードの携行者と共に送迎バスに乗せたＩＣカード紛失者を前記特定領域に関連した降車地で降ろす際には、乗降係員や特定領域の守衛がＩＣカード紛失者に対して本人確認を実行し、正規な紛失者だけを前記降車地で降ろし、不正紛失者に対しては氏名や所属部課を聞き取った後、前記降車地から排斥する際に、この不正紛失者に悪意が有る場合は警察に連行して前記降車地から排斥することで、前記特定領域内への部外者立ち入りを阻止したことを特徴とする請求項１または請求項２に記載した送迎バスの乗降管理方法。
【請求項５】
多数の前記ＩＣカード携行者を所定のグループに区分けし、この区分けしたグループ毎に指定した送迎バスに、各携行者を区分乗降可能にしたことを特徴とする請求項１から請求項４までのいずれか一つの請求項に記載した送迎バスの乗降管理方法。
【発明の詳細な説明】
【技術分野】
【０００１】
本発明は送迎バスの乗降管理方法に係り、特に本発明は、送迎バスに乗せたＩＣカードの携行者の中に不正携行者が混在していても、不正携行者の降車地降車に伴う特定領域内への部外者立ち入りを阻止できる送迎バスの乗降管理方法に関する。
【背景技術】
【０００２】
ＩＣカードの携行者を管理するシステムの従来例としては、特開２０１３−５８００２号公報（特許文献１）に記載のように、前記携行者の無線ＩＣタグカードから読み出した識別情報と、読み出し時刻情報、場所情報を無線データ回線を介して送信する読取処理手段と、この手段からの識別情報および読み出し時刻情報、場所情報を無線データ回線を介して受信し、管理支援プログラムに基づき携行者の前記場所における状態を表す携行者状態情報を作成し通信網を介して前記携行者等に送信する管理支援コンピュータ装置と、この装置からの携行者状態情報を通信網を介して受信する情報通信装置とを有する無線ＩＣタグカードを使用した対象物体の状態管理システムか周知である。
【０００３】
この特許文献１の他に、複数人を特定領域へ移動させる車両の乗降管理システムとして、従来、特許第２９４８５６５公報（特許文献２）に記載のように、特定の領域へ複数人を車両に乗せて移動する場合、乗車時に各人の非接触記憶媒体から個人情報を読み取って記憶し、全ての個人情報を一括記憶用の非接触記憶媒体に吸い上げ記憶し、特定領域のゲート付設装置に前記一括記憶用の媒体の情報をこの文献２の請求項３のように、無線伝送により供与することで、ゲート係員が手間と時間を要することなく、多数の乗車者の個人情報を得ようとした乗車者管理システムも周知である。
【０００４】
さらに、特許第５４０２２７０号公報（特許文献３）のように、従業員の個人識別用ＩＣカードから個人識別情報を読み込む個人識別用ＩＣカードのリーダと、このリーダが上記ＩＣカードを読み込むたびに、各従業員に対応した個人識別情報を書き込む管理用ＩＣカードのライタとを通勤バスに設ける一方、勤務場所の出入ゲート近傍には、前記管理用ＩＣカードから各従業員に対応した個人識別情報を読み込んで、従業員の出退勤の管理装置に出力する管理用ＩＣカードのリーダを備えた出退勤管理システムも周知である。
【０００５】
ところが、前記文献１から３までの全ての特許文献には、ＩＣカード紛失者の個人識別情報を紛失カード情報としてデータベースに記録し、車両に乗せたＩＣカードの携行者を降車地で降ろす際にＩＣカードから読み出した個人識別情報が、前記紛失カード情報と同じ携行者は他人のＩＣカードの不正携行者として、住所氏名や勤務先・カードの入手ルートを聞き取った後、降車地から排斥することで、不正携行者の降車地降車に伴う特定領域内への部外者立ち入りを阻止するという本件発明の着眼点と発明意図が、前記各特許文献には一切無く示唆すらも無いから、前記不正携行者でも前記文献１の観光バス・文献２の車両・文献３の通勤バスに対し乗降できてしまうという根源的で切実な問題点が有る。
【０００６】
さらに、前記文献１から３までの全ての特許文献には、ＩＣカード紛失者に付いての言及は一切無く、示唆すらも無いから、前記紛失者は、前記文献１の観光バス・文献２の車両・文献３の通勤バスに対し、一切乗降できないという本質的な大きい問題点が有る。
【先行技術文献】
【特許文献】
【０００７】
【特許文献１】特開２０１３−５８００２号公報
【特許文献２】特許第２９４８５６５号公報
【特許文献３】特許第５４０２２７０号公報
【発明の概要】
【発明が解決しようとする課題】
【０００８】
本発明は、送迎バスに乗せたＩＣカードの携行者の中に不正携行者が混在していても、不正携行者の降車地降車に伴う特定領域内への部外者立ち入りを阻止することを第１の目的とし、ＩＣカード紛失者でも送迎バスに乗車可能にすることを第２の目的とする。
【課題を解決するための手段】
【０００９】
本発明の前記第１の目的は、個人識別ＩＣカードの携行者を乗車地から特定領域に関連した降車地へ移動させる送迎バスを乗降管理するに当たり、ＩＣカード紛失者からの事前申し出を受けた送迎バス専門の乗降係員、または前記乗降係員を兼ねた送迎バスの運転手（以下、運転手等という）が、個人識別情報リストから得たＩＣカード紛失者の個人識別情報を紛失カード情報として、複数情報の検索照合結果を告知できるデータベースに記録し、送迎バスに乗せた前記携行者を降車地で降ろす際に、前記ＩＣカードから読み出した個人識別情報が、前記個人識別情報リスト中に有って、前記紛失カード情報と異なるＩＣカードの携行者は、前記データベースから得た正規カード告知に基づき、正規携行者として前記降車地で降ろし、ＩＣカードから読み出した個人識別情報が、紛失カード情報と同じ携行者は、データベースから得た不正警告に基づき、他人のＩＣカードの不正携行者として乗降係員や特定領域の守衛が本人確認を実行し、住所氏名や勤務先・カードの入手ルートを聞き取った後、前記降車地から排斥することで、前記特定領域内への部外者立ち入りを阻止したことで達成できた。
【００１０】
本発明の前記第１の目的は、個人識別ＩＣカードの携行者を乗車地から特定領域に関連した降車地へ移動させる送迎バスを乗降管理するに当たり、ＩＣカード紛失者からの事前申し出を受けた前記運転手等が、個人識別情報リストから得たＩＣカード紛失者の個人識別情報を紛失カード情報として、複数情報の検索照合結果を告知できるデータベースに記録し、前記携行者を前記乗車地から送迎バスに乗せる際に、ＩＣカードから読み出した個人識別情報が、前記個人識別情報リスト中に有って、前記紛失カード情報と異なるＩＣカードの携行者は、前記データベースから得た正規カード告知に基づき、正規携行者として送迎バスに乗せ、ＩＣカードから読み出した個人識別情報が、紛失カード情報と同じ携行者の場合は、運転手等だけに分かるデータベースからの不正警告に基づく不正携行者として、送迎バスに故意に乗せる一方、前記各携行者を降車地で降ろす際に、ＩＣカードから読み出した個人識別情報が、前記紛失カード情報と異なるＩＣカードの携行者は、前記正規カード告知に基づき降車地で降ろし、ＩＣカードから読み出した個人識別情報が、紛失カード情報と同じ携行者は、前記不正警告に基づき、他人のＩＣカードの不正携行者として、乗降係員や特定領域の守衛が本人確認を実行し、住所氏名や勤務先・カードの入手ルートを聞き取った後、前記降車地から排斥することで、前記特定領域内への部外者立ち入りを阻止したことでも達成できた。
【００１１】
なお、前記不正携行者を降車地から排斥する際に、盗んだ紛失カードを使用した不正携行者は警察に連行して前記降車地から排斥してもよく、さらに、多数のＩＣカード携行者を所定のグループに区分けし、この区分けしたグループ毎に指定した送迎バスに、各携行者を区分乗降可能にしてもよい。
【００１２】
本発明の前記第２の目的は、ＩＣカードの携行者と共に送迎バスに乗せたＩＣカード紛失者を前記降車地で降ろす際には、乗降係員や特定領域の守衛がＩＣカード紛失者に対して本人確認を実行し、正規な紛失者だけを降車地で降ろし、不正紛失者に対しては、運転手等が氏名や所属部課を聞き取った後、前記降車地から排斥する際に、この不正紛失者に悪意が有る場合は警察に連行して前記降車地から排斥することで、前記特定領域内への部外者立ち入りを阻止したことで達成できた。
【００１３】
ただし、本発明における前記本人確認は、例えばマイナンバー制度による顔写真付き個人番号カード・顔写真付き個人識別情報リスト・顔写真付き社員名簿・顔写真付き社員証・顔写真付きＩＣタグ・顔写真付きＩＣカードおよび各種運転免許証等による本人確認データのうちの何ずれか一つを、データベース等からモニター画面に表出させ、この画面と携行者とを乗降係員や特定領域の守衛がリアルタイムで素早く照合したり、上記各本人確認データのうちの何ずれか一つの実物を携行者が提示して乗降係員や前記守衛が本人と照合したり、上記各本人確認データの顔写真と携行者の顔写真とを現用一般的な顔認証手段により、リアルタイムで照合確認すること等で本人確認を実行する。
【発明の効果】
【００１４】
本発明における請求項１の発明によれば、送迎バスに乗せた前記携行者を降ろす際に、ＩＣカードから読み出した個人識別情報が、前記個人識別情報リスト中に有って、前記紛失カード情報と異なる携行者は、前記正規カード告知に基づき降車地で降ろし、ＩＣカードから読み出した個人識別情報が、紛失カード情報と同じ携行者は前記不正警告に基づき他人のＩＣカードの不正携行者として、特定領域の守衛や乗降係員が本人確認を実行し、前記本人確認データに基づき不正携行者の住所氏名や勤務先・カードの入手ルートを聞き取り、ＩＣカード不正携行の再犯防止処置を施した後、不正携行者を前記降車地から排斥することで、ＩＣカードの携行者の中に不正携行者が混在していても、不正携行者の降車地降車に伴う特定領域内への部外者立ち入りを阻止できたという優れた効果が有る。
【００１５】
本発明における請求項２の発明によれば、前記請求項１の効果のほかに、ＩＣカードの携行者を送迎バスに乗せる際に、前記不正警告により運転手等が不正携行者を発見しても、この不正携行者を送迎バスに故意に乗せることで、この不正携行者と運転手等とのトラブルを防げるから、ラッシュ時等に送迎バスの出発遅延を防止できるという効果と、運転手等の要請で降車地に待機している守衛や乗降係員は、降車時の前記不正警告に基づく不正携行者の降車に伴う逃亡を運転手等と共に確実に防げるので、この不正携行者に対する本人確認を一層確実に実行でき、前記本人確認データに基づき不正携行者の住所氏名や勤務先・カードの入手ルートを確実に聞き取り得るいう優れた効果とを付加できた。
【００１６】
本発明における請求項３の発明によれば、前記本人確認の結果、前記ＩＣカードの不正携行者を降車地から排斥するに当たり、盗んだ紛失カードを使用した不正携行者は警察に連行し、始末書等により徹底した再犯防止処置を警察で施せるという効果を付加できたし、本発明における請求項５の発明によれば、多人数の前記携行者を所定のグループに区分けし、この区分けしたグループ毎に指定した送迎バスに各携行者を区分乗降可能にしたので、多数携行者の乗降管理が迅速かつ容易確実に実行できるという効果を付加できた。
【００１７】
本発明における請求項４の発明によれば、ＩＣカードの携行者と共に送迎バスに乗せたＩＣカード紛失者を降車地で降ろす際に、上記紛失者に対して乗降係員や特定領域の守衛が本人確認を実行し、正規な紛失者だけを降ろす一方、嘘をついた不正紛失者に対しては、前記本人確認データに基づき氏名や所属部課を聞き取った後、前記降車地から排斥する前に、この不正紛失者に悪意が有る場合は警察に連行することで、ＩＣカード不正紛失者の降車地降車に伴う前記特定領域内への部外者立ち入りを阻止できるから、ＩＣカードを落としたり、置き忘れた社員や盗まれた者でも、前記乗車地から降車地へと前記特定領域内のセキュリティを確保した状態で臨機応変に移動させ得るという効果も付加できた。
【図面の簡単な説明】
【００１８】
【図１】本発明における請求項１の実施形態例を示すフローチャート
【図２】本発明における請求項２の実施形態例を示すフローチャート
【発明を実施するための形態】
【００１９】
本発明を実行するための基本形態例は、個人識別ＩＣカードの携行者、例えば女子工員や、男子技術者等の複数人を社員寮や列車の駅に近い、送迎バスの乗車地から、例えば物品製造現場や、製品開発現場等の一般人が妄りに立ち入れない特定領域に関連した降車地へ移動させるための送迎バス内には、現用一般的な接触式または非接触式ＩＣカードリーダと、このリーダに図１のようにリンクして複数情報の検索照合結果を現用周知の手段で告知できる乗降管理用データベースと、このデータベースにストックした個人識別情報リストまたは閲覧可能な個人識別情報リストと、前記運転手等とを配備する。
【００２０】
本発明の請求項１における送迎バスの乗降管理形態例は、ＩＣカード紛失者からの事前申し出により、紛失者の氏名や所属部課等を運転手等が確認し、前記個人識別情報リストから顔写真と共に調べ出したＩＣカード紛失者の個人識別情報を、図１のように紛失カード情報として前記データベースに記録した後、前記携行者のＩＣカード携行状態をチェックし、個人識別ＩＣカードの携行者だけを乗車地から送迎バスに乗せ、これら各携行者を降車地で降ろす際に、前記ＩＣカードリーダで携行者のＩＣカードから読み出した個人識別情報が、前記個人識別情報リスト中に有って、図１のように前記紛失カード情報と異なる携行者の場合は、前記データベースからの「ピッ」というような短発音等による正規カード告知に基づき、正規携行者として前記降車地で降ろす。
【００２１】
一方、ＩＣカードから前記リーダで読み出した個人識別情報が、図１のように紛失カード情報と同じ携行者は、上記データベースから得た前記短発音告知手段等による不正警告に基づき、他人のＩＣカードの不正携行者として、乗降係員や特定領域の守衛が本人確認と共に事情聴取を実行し、上記不正携行者の逃亡を防ぎつつ、前記本人確認データに基づき不正携行者の住所氏名や勤務先・カードの入手ルートを聞き取り、再犯防止処置を施した後、前記降車地から排斥することで、ＩＣカードの携行者中に不正携行者が混在していても、不正携行者の降車地降車に伴う特定領域内への部外者立ち入りを阻止できた。
【００２２】
本発明の請求項２における送迎バスの乗降管理形態例は、例えば前記乗車地で送迎バスを待ち受けたＩＣカード紛失者からの事前申し出により、紛失者の氏名や所属部課等を運転手等が確認し、前記個人識別情報リストから顔写真と共に調べ出したＩＣカード紛失者の個人識別情報を、図２のように紛失カード情報として前記データベースに記録した後、携行者を送迎バスに乗せる際に、前記リーダでＩＣカードから読み出した個人識別情報が、個人識別情報リスト中に有って、同図２のように前記紛失カード情報と異なるＩＣカードの携行者は、データベースから得た前記短発音告知手段等による正規カード告知に基づき、正規携行者として送迎バスに乗せる。
【００２３】
一方、ＩＣカードから前記リーダで読み出した個人識別情報が、図２のように紛失カード情報と同じ携行者の場合は、発光や体感振動等により、前記運転手等だけに分かるデータベースからの不正警告による不正携行者として、同図２のように送迎バスに故意に乗せる一方、前記各携行者を降車地で降ろす際に、ＩＣカードから読み出した個人識別情報が、前記紛失カード情報と異なるＩＣカードの携行者は、前記短発音告知手段等による正規カード告知に基づき降車地で降ろす。
【００２４】
ＩＣカードから読み出した個人識別情報が、紛失カード情報と同じ携行者は、前記不正警告に基づき図２のように他人のＩＣカードの不正携行者として、乗降係員や特定領域の守衛が本人確認と共に事情聴取を実行し、前記本人確認データに基づき上記不正携行者の住所氏名や勤務先・カードの入手ルートを聞き取り、再犯防止処置を施した後、降車地から排斥することで、特定領域内への部外者立ち入りを阻止できたし、前記携行者を送迎バスに乗せる際に、送迎バスの運転手等が前記不正警告により不正携行者を発見しても、この不正携行者を図２のように送迎バスに故意に乗せることで、この不正携行者と運転手等とのトラブルを防げるから、ラッシュ時等における送迎バスの出発遅延を防止できる。
【００２５】
さらに、上記運転手等は、故意に乗せた上記不正携行者の降車地からの逃亡を防ぐ心構えから、図２のように特定領域の守衛に携帯電話等で降車地に乗降係員や守衛の増員待機を要請し、この要請を受けて降車地に増員待機した守衛や乗降係員は、運転手等が送迎バスから各携行者を降ろす前に、降車地到着の送迎バスに乗り込み、携行者のＩＣカードから読み出した個人識別情報が、図２のように紛失カード情報と同じ携行者は、前記降車時の不正警告に基づき、他人のＩＣカードの不正携行者として身柄を一時的に拘束することで、上記不正携行者の降車に伴う逃亡を確実に防げるので、この不正携行者に対する本人確認を一層確実に実行でき、前記本人確認データに基づき不正携行者の氏名や勤務先を聞き取り易く、ＩＣカードの入手ルートも確実に聞き取り得る。
【００２６】
本発明の請求項３の乗降管理形態例は、前記他人のＩＣカードの不正携行者を降車地から排斥するに当たり、前記本人確認や事情聴取の結果、盗んだ紛失カードを使用した者と判明した不正携行者は警察に連行し、始末書を書かせる等の徹底した再犯防止処置を警察で施せる一方、請求項４の乗降管理形態例としては、ＩＣカードの携行者と共に送迎バスに乗せたＩＣカード紛失者を前記降車地で降ろす際に、上記紛失者に対して乗降係員や特定領域の守衛が本人確認を実行し、正規な紛失者だけを降車地で降ろし、不正紛失者に対しては、前記本人確認データに基づき氏名や所属部署を聞き取った後、降車地から排斥する前に、この不正紛失者に悪意が有る場合は警察に連行することで、ＩＣカード不正紛失者の降車地降車に伴う前記特定領域内への部外者立ち入りを阻止できる。
【００２７】
すなわち、上記請求項４の乗降管理形態例では、ＩＣカードの携行者に対しては、前記請求項１・２の乗降管理形態例のように送迎バスの乗降を管理する一方、車内に残したＩＣカード紛失者に対しては、乗降係員や特定領域の守衛が本人確認を実行し、正規な紛失者だけを前記降車地で降ろせるので、例えばＩＣカードを落としたり、何処かに置き忘れた社員や、ＩＣカードを盗まれた者等のＩＣカード紛失者でも、前記乗車地から降車地へと、前記特定領域内のセキュリティを確保した状態で臨機応変に移動させ得る。
【００２８】
ただし、ＩＣカード紛失者が前記降車地で送迎バスから自分勝手に降りようとしても、この紛失者にはＩＣカードが無い状態だから、送迎バスの運転手等が上記紛失者を制止して送迎バスの車内に止め置き、この紛失者に対し前記と同様に本人確認を実行し、正規な紛失者だけを特定領域の前記降車地で降ろすことで、ＩＣカード紛失者の前記降車地降車に伴う前記特定領域内への部外者立ち入りを阻止できる一方、請求項５の乗降管理形態例としては、多人数の前記携行者を所定のグループに区分けし、この区分けしたグループ毎に指定した送迎バスに各携行者を区分乗降可能にしたので、多数携行者の乗降管理がリアルタイムで迅速かつ容易確実に実行できる。
【図１】
2017045136.tif 000003
【図２】
2017045136.tif 000004